(57)【要約】【課題】内容物を一度吐出した後に次の吐出を規制できる吐出器を提供する。【解決手段】吐出器１は、内容物を収容する容器４の口部４ａに装着される装着キャップ２と、装着キャップ２によって口部４ａに装着され、操作ヘッド１１の押下によって内容物を吐出する吐出器本体３と、を有し、操作ヘッド１１は、弾性変形可能な規制片１１ｄを有し、装着キャップ２は、操作ヘッド１１の押下により、操作ヘッド１１の復帰を規制するように規制片１１ｄと係合する係合部８ｂと、規制片１１ｄと係合部８ｂとの係合状態を解除するように規制片１１ｄを押圧する解除片１０と、を有する。【選択図】図１
2020104940.tif 000002
【特許請求の範囲】
【請求項１】
内容物を収容する容器の口部に装着される装着キャップと、
前記装着キャップによって前記口部に装着され、前記操作ヘッドの押下によって前記内容物を吐出する吐出器本体と、を有し、
前記操作ヘッドは、弾性変形可能な規制片を有し、
前記装着キャップは、前記操作ヘッドの押下により、前記操作ヘッドの復帰を規制するように前記規制片と係合する係合部と、前記規制片と前記係合部との係合状態を解除するように前記規制片を押圧する解除片と、を有する、吐出器。
【請求項２】
前記操作ヘッドを覆うように前記装着キャップに装着されるオーバーキャップを有し、
前記解除片が、前記装着キャップへの前記オーバーキャップの装着に伴い、前記係合状態を解除するように前記オーバーキャップに押圧される、請求項１に記載の吐出器。
【請求項３】
前記装着キャップが、前記解除片を覆う筒状の外装体を有する、請求項１又は２に記載の吐出器。
【発明の詳細な説明】
【技術分野】
【０００１】
本発明は、吐出器に関する。
【背景技術】
【０００２】
容器の口部に装着され、操作ヘッドの押下によって内容物を吐出する吐出器が知られている（例えば特許文献１参照）。
【先行技術文献】
【特許文献】
【０００３】
【特許文献１】特開２０１５−１２７２２６号公報
【発明の概要】
【発明が解決しようとする課題】
【０００４】
従来の吐出器では、操作ヘッドを押下することで何度でも内容物を吐出することができる。しかし、効果を発揮するために必要となる有効使用量が設定されている化粧品、美容液などを内容物とする場合などにおいては、一度の吐出で有効使用量が吐出されたことを使用者が認識できる吐出器が望まれている。また、１回の使用量が規制されている薬品などを内容物とする場合などにおいては、吐出量を規制できる吐出器が望まれている。
【０００５】
本発明の目的は、内容物を一度吐出した後に次の吐出を規制できる吐出器を提供することにある。
【課題を解決するための手段】
【０００６】
本発明の一態様に係る吐出器は、
内容物を収容する容器の口部に装着される装着キャップと、
前記装着キャップによって前記口部に装着され、前記操作ヘッドの押下によって前記内容物を吐出する吐出器本体と、を有し、
前記操作ヘッドは、弾性変形可能な規制片を有し、
前記装着キャップは、前記操作ヘッドの押下により、前記操作ヘッドの復帰を規制するように前記規制片と係合する係合部と、前記規制片と前記係合部との係合状態を解除するように前記規制片を押圧する解除片と、を有する。
【０００７】
本発明に係る吐出器は、
前記操作ヘッドを覆うように前記装着キャップに装着されるオーバーキャップを有してもよく、
前記解除片が、前記装着キャップへの前記オーバーキャップの装着に伴い、前記係合状態を解除するように前記オーバーキャップに押圧されてもよい。
【０００８】
本発明に係る吐出器は、前記装着キャップが、前記解除片を覆う筒状の外装体を有してもよい。
【発明の効果】
【０００９】
本発明によれば、内容物を一度吐出した後に次の吐出を規制できる吐出器を提供することができる。
【図面の簡単な説明】
【００１０】
【図１】本発明の第１実施形態に係る吐出器を備える吐出容器を解除片が成形時の位置にある状態で示す一部断面側面図である。
【図２】図１に示す吐出容器を操作ヘッドの復帰状態で示す一部断面側面図である。
【図３】図２に示す状態の吐出容器を異なる角度から視たときの側面図である。
【図４】図３に示す状態の吐出容器の上面図である。
【図５】図２に示す状態から操作ヘッドを押下したときの係合状態の吐出容器を示す一部断面側面図である。
【図６】図５に示す状態の吐出容器の上面図である。
【図７】図５に示す状態からオーバーキャップを装着するときの状態を示す一部断面側面図である。
【図８】図７に示す状態からオーバーキャップの装着によって操作ヘッドが復帰したときの状態を示す一部断面側面図である。
【図９】本発明の第２実施形態に係る吐出器を備える吐出容器を操作ヘッドの復帰状態で示す一部断面側面図である。
【図１０】図９に示す状態の吐出容器を異なる角度から視たときの吐出容器の側面図である。
【図１１】図９に示す状態の吐出容器の上面図である。
【図１２】図９に示すキャップ部材を示し、（ａ）は上面図、（ｂ）は一部断面側面図、（ｃ）は（ｂ）と異なる角度から視たときの一部断面側面図である。
【図１３】本発明の第３実施形態に係る吐出器を備える吐出容器を操作ヘッドの復帰状態で示す一部断面側面図である。
【図１４】図１３に示す状態の吐出容器を異なる角度から視たときの一部断面側面図である。
【図１５】図１３に示す状態から操作ヘッドを押下したときの係合状態の吐出容器を示す一部断面側面図である。
【図１６】図１５に示す状態からオーバーキャップの装着によって操作ヘッドが復帰したときの状態を示す一部断面側面図である。
【発明を実施するための形態】
【００１１】
以下、図面を参照して、本発明の実施形態に係る吐出器について詳細に例示説明する。
【００１２】
まず、図１〜図８を参照して、本発明の第１実施形態に係る吐出器について詳細に例示説明する。図１に示すように、本実施形態に係る吐出器１は、装着キャップ２及び吐出器本体３を有している。吐出器１は、容器４の口部４ａに装着されて吐出容器５を構成している。吐出器本体３は、操作ヘッド１１に接続されるとともに操作ヘッド１１の押下によって操作ヘッド１１に設けられた吐出口１１ｃから内容物を吐出させる吐出器機構部を有している。吐出器機構部は、ステム、付勢部材、ピストン、シリンダなどを有する公知の吐出機構を利用可能である。
【００１３】
容器４は、筒状の口部４ａと、口部４ａに連なるとともに口部４ａより拡径した筒状の胴部４ｂと、胴部４ｂに連なる底部４ｃと、を有し、内部に内容物（不図示）を収容している。内容物は、特に限定されないが、例えば、化粧品、美容液などの有効使用量が設定されているもの、又は、薬品などの１回の使用量が規制されているものであることが好ましい。
【００１４】
本明細書において、吐出容器５又は吐出器１について上下方向とは、口部４ａの中心軸線Ｏに沿う方向を意味し、上方は底部４ｃから口部４ａに向かう方向であり、下方はその反対方向である。また、中心軸線Ｏの径方向を単に径方向ともいい、中心軸線Ｏの周方向を単に周方向ともいう。
【００１５】
装着キャップ２は、容器４の口部４ａに装着される装着筒６と、装着筒６の上端部から径方向内側に延在する天壁７と、天壁７から上方に延在するとともに中心軸線Ｏを中心とする筒状の囲繞壁８と、を有している。装着筒６の上端部における外周面には、容器４の胴部４ｂと略同径の筒状をなす外壁９の上端部が一体に連なっている。
【００１６】
装着筒６は、口部４ａに螺合可能に構成されている。なお、装着筒６は、口部４ａにアンダーカット形状の乗越えによって装着されるなど、他の係合方法によって、口部４ａに装着されるように構成されてもよい。
【００１７】
囲繞壁８の上端部における中心軸線Ｏを挟んで対向する２箇所には、それぞれ、解除片１０の一端部がヒンジ部１７を介して一体に連なっている。このように、装着キャップ２は、２つの解除片１０を有している。解除片１０の各々は、ヒンジ部１７を中心として揺動可能に構成されている。解除片１０の各々は、解除片１０の一端部から解除片１０の他端部まで延在する揺動板１０ａと、解除片１０の他端部において揺動板１０ａと交差する方向に突出する解除凸部１０ｂと、を有している。解除凸部１０ｂの各々は、揺動板１０ａが囲繞壁８の外周面に当接する解除位置まで解除片１０が揺動したときに、囲繞壁８を貫通する貫通口８ａに径方向外側から入り込むように構成されている。図３及び図４に示すように、囲繞壁８の外周面には、解除片１０の各々を配置可能な溝８ｄが設けられている。溝８ｄの各々は、囲繞壁８の上端面から貫通口８ａまで延在している。解除凸部１０ｂの各々は、解除位置まで揺動したときに、揺動板１０ａが囲繞壁８の溝８ｄの底面に当接するようになっている。また、解除凸部１０ｂの各々における両側面は、揺動板１０ａが溝８ｄから径方向外側へ脱離するように移動することを規制するように、貫通口８ａの両側面に摺接している。
【００１８】
装着キャップ２は、合成樹脂の射出成形によって一体に成形されており、その成形時には、図１に示すように解除片１０の各々がその一端部より他端部の方が上方に位置する状態とされている。そして、成形後に、解除片１０の各々は、解除片１０が図２〜図４に示すような解除位置又はその近傍に位置するように、ヒンジ部１７を介して揺動させられる。なお、装着キャップ２の材料及び製法はこれに限らない。
【００１９】
図１に示すように、吐出器本体３は、装着キャップ２によって容器４の口部４ａに装着され、操作ヘッド１１の押下により、操作ヘッド１１に設けられた吐出口１１ｃから内容物を吐出するように構成されている。操作ヘッド１１は、中心軸線Ｏを中心とする筒状の外周壁１１ａと、外周壁１１ａの上端部に連なる頂壁１１ｂと、を有している。外周壁１１ａには、吐出口１１ｃが設けられている。操作ヘッド１１は、合成樹脂の射出成形によって一体に成形されている。なお、操作ヘッド１１の材料及び製法はこれに限らない。また、操作ヘッド１１は複数の部材で構成されてもよい。
【００２０】
図１及び図４に示すように、操作ヘッド１１の外周壁１１ａの下端部における中心軸線Ｏを挟んで対向する２箇所には、それぞれ、規制片１１ｄの上端部が一体に連なっている。このように、操作ヘッド１１は、２つの規制片１１ｄを有している。規制片１１ｄの各々は、規制片１１ｄの上端部を中心として径方向内側に揺動するように弾性変形可能である。規制片１１ｄの各々は、規制片１１ｄの上端部から規制片１１ｄの下端部まで延在する弾性板１１ｅと、規制片１１ｄの下端部において弾性板１１ｅと垂直に径方向外側に突出する係合凸部１１ｆと、を有している。
【００２１】
図５及び図６に示すように、規制片１１ｄの各々は、操作ヘッド１１の押下により、その係合凸部１１ｆが囲繞壁８の貫通口８ａに径方向内側から入り込むように構成されている。また、囲繞壁８は、貫通口８ａの各々における上面を区画する係合部８ｂを有している。係合部８ｂの各々は、操作ヘッド１１の押下により、操作ヘッド１１の復帰を規制するように規制片１１ｄの係合凸部１１ｆと係合するように構成されている。
【００２２】
囲繞壁８の内周面には、貫通口８ａの各々から囲繞壁８の上端面まで上方に延在する縦溝８ｃが設けられている。縦溝８ｃの各々の底面は、下方に向けて径方向内側に傾斜する傾斜面となっている。縦溝８ｃの各々の両側面は、中心軸線Ｏを中心とする操作ヘッド１１の回転を規制するように規制片１１ｄと係合する回転規制部８ｅを構成している。操作ヘッド１１の押下に伴い、規制片１１ｄの各々は、係合凸部１１ｆが縦溝８ｃの底面により径方向内側に押圧されて弾性板１１ｅが径方向内側へ弾性変形し、係合凸部１１ｆが貫通口８ａに達すると、弾性板１１ｅが径方向外側へ復元変形して、係合凸部１１ｆが貫通口８ａに入り込んで係合部８ｂと係合し、操作ヘッド１１の復帰が規制される。このように、縦溝８ｃの各々の底面は、操作ヘッド１１の押下に伴い、係合凸部１１ｆが係合部８ｂを超えるまで弾性板１１ｅを弾性変形させる押圧部８ｆを構成している。
【００２３】
係合凸部１１ｆの各々は、貫通口８ａに入り込むとき、解除片１０の解除凸部１０ｂを径方向外側に押圧し、解除片１０を解除位置から径方向外側に揺動させるように構成されている。
【００２４】
図７及び図８に示すように、吐出器１は、操作ヘッド１１を覆うように装着キャップ２に装着されるオーバーキャップ１２をさらに有している。解除片１０の各々は、装着キャップ２へのオーバーキャップ１２の装着に伴い、規制片１１ｄと係合部８ｂとの係合状態を解除するようにオーバーキャップ１２に押圧されるように構成されている。
【００２５】
オーバーキャップ１２は、中心軸線Ｏを中心とする筒状の周壁１２ａと、周壁１２ａの上端部を閉塞する頂部壁１２ｂと、を有している。周壁１２ａの下端部における内周面には、周方向に亘って延在するとともに径方向内側に突出する環状凸部１２ｃが設けられている。解除片１０の他端部には、オーバーキャップ１２の装着完了時にクリック感を生じるように環状凸部１２ｃと係合する段差部１０ｃが設けられている。
【００２６】
本実施形態に係る吐出器１によれば、操作ヘッド１１の押下により内容物を一度吐出した後に、図５等に示すように、規制片１１ｄと係合部８ｂとが係合して操作ヘッド１１の復帰を規制することができるので、次の吐出を規制することができる。また、この状態からオーバーキャップ１２を装着するだけで、図８等に示すように、解除片１０を介して規制片１１ｄを押圧して、規制片１１ｄと係合部８ｂとの係合状態を解除することができる。この係合状態の解除により、吐出器本体３に設けられた付勢部材（本願実施形態ではステムに設けられている）によって操作ヘッド１１が待機位置に復帰する。これにより、操作ヘッド１１を再び押下することが可能になり、内容物の吐出操作が可能になる。
【００２７】
規制片１１ｄと係合部８ｂとが係合する際には、図５に示すように、規制片１１ｄの係合凸部１１ｆの先端部が解除片１０の解除凸部１０ｂの先端部を径方向外側へ押圧し、解除凸部１０ｂの両側面と貫通口８ａの両側面との摩擦力に抗して、解除片１０をヒンジ部１７を中心として解除位置から径方向外側に向けて揺動させる。このため、規制片１１ｄと係合部８ｂとの係合状態では、解除片１０は、解除位置から径方向外側に向けて僅かに揺動した位置にある。この状態からオーバーキャップ１２を装着すると、オーバーキャップ１２に規制片１１ｄが径方向内側へ押圧されることで、図８に示すように、解除片１０が、解除凸部１０ｂの両側面と貫通口８ａの両側面との摩擦力に抗してヒンジ部１７を中心として解除位置まで揺動し、この揺動に伴って解除凸部１０ｂの先端部が係合凸部１１ｆの先端部を径方向内側へ押圧し、係合凸部１１ｆと係合部８ｂとの係合状態を解除する。
【００２８】
次に、図９〜図１２を参照して、本発明の第２実施形態に係る吐出器について詳細に例示説明する。図９〜図１２において、第１実施形態において図示した部分に対応する部分には同一の符号を付している。第１実施形態では２つの解除片１０の各々が囲繞壁８に一体に連なっているが、本実施形態では、２つの解除片１０の各々が囲繞壁８と別体に構成されている。本実施形態においても、吐出器１は、図８等に示すオーバーキャップ１２を有している。
【００２９】
図９〜図１１に示すように、本実施形態では、装着キャップ２は、囲繞壁８、天壁７、装着筒６及び外壁９を備えるキャップ部材２ａと、２つの解除片１０を備える解除部材２ｂと、を有している。キャップ部材２ａ及び解除部材２ｂは、それぞれ、合成樹脂の射出成形によって一体に成形されている。なお、これらの部材の材料及び製法はこれに限らない。また、キャップ部材２ａ及び解除部材２ｂは、それぞれ、複数の部材で構成されてもよい。
【００３０】
図１２に示すように、囲繞壁８は、２つの貫通口８ａと、２つの溝８ｄと、を有している。囲繞壁８の内周面には、中心軸線Ｏを挟んで対向する２箇所にそれぞれ、回転規制部８ｅを構成する１対の縦リブ８ｇが設けられている。縦リブ８ｇの各々は、天壁７から囲繞壁８の上部まで延在している。また、囲繞壁８の内周面には、中心軸線Ｏを挟んで対向する２箇所にそれぞれ、押圧部８ｆを構成する３つの縦リブ８ｈが設けられている。縦リブ８ｈの各々は、貫通口８ａから囲繞壁８の上部まで上方に延在している。また、縦リブ８ｈの各々は、下方に向けて径方向内側に傾斜する傾斜面を有している。縦リブ８ｈの各々における下端部により、係合部８ｂが構成されている。
【００３１】
囲繞壁８の上端部における内周面には、解除部材２ｂを係止するための、中心軸線Ｏを中心とする環状凸部８ｉが設けられている。環状凸部８ｉには、図９に示すように、解除部材２ｂの係止凸部１３が係合しており、この係合により、解除部材２ｂがキャップ部材２ａに固定されている。図９〜図１１に示すように、解除部材２ｂは、囲繞壁８の上端面に接する中心軸線Ｏを中心とする環状の天面壁１４と、天面壁１４の径方向内側部分から垂下する中心軸線Ｏを中心とする筒状の垂下壁１５と、を有し、垂下壁１５の外周面に周方向に亘って係止凸部１３が設けられている。２つの解除片１０は、天面壁１４の径方向外側部分から垂下している。
【００３２】
本実施形態に係る吐出器１によっても、第１実施形態の場合と同様の効果を得ることができる。また、本実施形態では、装着キャップ２がキャップ部材２ａと別体の解除部材２ｂを有しているので、囲繞壁８の内周面に形成された凹凸形状など、及び操作ヘッド１１に形成された規制片１１ｄなどを上方から見えにくくし、もって、外観を向上することができる。
【００３３】
次に、図１３〜図１６を参照して、本発明の第３実施形態に係る吐出器について詳細に例示説明する。図１３〜図１６において、第２実施形態において図示した部分に対応する部分には同一の符号を付している。本実施形態では、装着キャップ２は、２つの解除片１０を覆う筒状の外装体１６を備える外装部材２ｃを有している。また、本実施形態では、外装部材２ｃが外壁９を有している。
【００３４】
図１３〜図１４に示すように、本実施形態では、装着キャップ２は、囲繞壁８、天壁７及び装着筒６を備えるキャップ部材２ａと、２つの解除片１０、天面壁１４及び垂下壁１５を備える解除部材２ｂと、前述した外装部材２ｃと、で構成されている。キャップ部材２ａ、解除部材２ｂ及び外装部材２ｃは、それぞれ、合成樹脂の射出成形によって一体に成形されている。なお、これらの部材の材料及び製法はこれに限らない。また、キャップ部材２ａ、解除部材２ｂ及び外装部材２ｃは、それぞれ、複数の部材で構成されてもよい。
【００３５】
囲繞壁８は、第２実施形態の場合と同様の構成を有している。解除片１０の各々は、揺動板１０ａの下端部から径方向外側に突出する突出部１０ｄを有している。突出部１０ｄの各々は、操作ヘッド１１の押下によって規制片１１ｄと係合部８ｂとが係合する際に、係合凸部１１ｆの先端部によって解除片１０の解除凸部１０ｂの先端部が径方向外側に押圧され、解除片１０が解除位置から径方向外側へ揺動することにより、図１５に示すように、外装体１６に設けられた開口１６ａを通じて外装体１６の径方向外側に突出するように構成されている。
【００３６】
また、突出部１０ｄの各々は、規制片１１ｄと係合部８ｂとの係合状態からオーバーキャップ１２を装着することにより、図１６に示すように、オーバーキャップ１２の周壁１２ａの下端部によって径方向内側へ押圧され、解除片１０を解除位置へ揺動させるように構成されている。
【００３７】
外装体１６は、外壁９の上端部から解除部材２ｂの天面壁１４の高さまで延在する筒状の外周壁１６ｂを有している。外周壁１６ｂの外周面と外壁９の上端面との間には、オーバーキャップ１２の装着時にオーバーキャップ１２の周壁１２ａの下端部が当接する環状段部が設けられている。外周壁１６ｂの下端部には、前述した２つの開口１６ａが設けられている。外周壁１６ｂの内周面には、解除片１０の揺動板１０ａを揺動可能に収容する上下方向に亘る収容溝１６ｅが設けられている。
【００３８】
外周壁１６ｂの上端部には、解除部材２ｂの天面壁１４の上面に接する中心軸線Ｏを中心とする環状の上面壁１６ｃの外周縁部が一体に連なっている。上面壁１６ｃの内周縁部には、係合筒１６ｄが垂設されている。係合筒１６ｄは、解除部材２ｂの天面壁１４の内周縁部にアンダーカット形状を介して係止されている。また、外壁９の内周面における上端部は、装着筒６の外周面における上端部にアンダーカット形状を介して係止されている。
【００３９】
本実施形態に係る吐出器１によっても、第２実施形態の場合と同様の効果を得ることができる。また、本実施形態では、外装体１６によって、可動部となる２つの解除片１０、及び解除片１０と装着キャップ２の溝８ｄとの間に形成される溝状の隙間などを覆うことができるので、外面形状をシンプル化して外観を向上することができる。また、外装体１６に装飾を施すことで、容易に外観を向上することもできる。
【００４０】
前述した本実施形態は、本発明の実施形態の一例にすぎず、発明の要旨を逸脱しない範囲で種々変更可能であることはいうまでもない。
【００４１】
前記の実施形態において吐出器１は規制片１１ｄと係合部８ｂとの係合状態を解除可能なオーバーキャップ１２を有しているが、吐出器１は、このような構成に限らず、例えば、２つの解除片１０を指や治具などで直接操作して規制片１１ｄと係合部８ｂとの係合状態を解除してもよい。この場合、内容物充填後において、吐出器本体３の内部に存在する空気を排出する初期プライミング操作を、解除片１０を治具などによって直接操作した状態で操作ヘッド１１を数回押下することによって行ってもよい。
【００４２】
第３実施形態に係る吐出器１は、第２実施形態に係る吐出器１に外装体１６を適用した構成を有している。しかし、第３実施形態に係る吐出器１は、解除片１０が装着キャップ２に一体に設けられた第１実施形態に係る吐出器１に外装体１６を適用した構成を有してもよい。
【００４３】
前記の実施形態において規制片１１ｄ、係合部８ｂ、貫通口８ａ及び解除片１０は２つずつ設けられているが、これらの数は２つに限らず、１つであってもよいし、３つ以上であってもよい。
【符号の説明】
【００４４】
１  吐出器
２  装着キャップ
２ａ  キャップ部材
２ｂ  解除部材
２ｃ  外装部材
３  吐出器本体
４  容器
４ａ  口部
４ｂ  胴部
４ｃ  底部
５  吐出容器
６  装着筒
７  天壁
８  囲繞壁
８ａ  貫通口
８ｂ  係合部
８ｃ  縦溝
８ｄ  溝
８ｅ  回転規制部
８ｆ  押圧部
８ｇ  縦リブ
８ｈ  縦リブ
８ｉ  環状凸部
９  外壁
１０  解除片
１０ａ  揺動板
１０ｂ  解除凸部
１０ｃ  段差部
１０ｄ  突出部
１１  操作ヘッド
１１ａ  外周壁
１１ｂ  頂壁
１１ｃ  吐出口
１１ｄ  規制片
１１ｅ  弾性板
１１ｆ  係合凸部
１２  オーバーキャップ
１２ａ  周壁
１２ｂ  頂部壁
１２ｃ  環状凸部
１３  係止凸部
１４  天面壁
１５  垂下壁
１６  外装体
１６ａ  開口
１６ｂ  外周壁
１６ｃ  上面壁
１６ｄ  係合筒
１６ｅ  収容溝
１７  ヒンジ部
Ｏ  中心軸線
【図１】
2020104940.tif 000003
【図２】
2020104940.tif 000004
【図３】
2020104940.tif 000005
【図４】
2020104940.tif 000006
【図５】
2020104940.tif 000007
【図６】
2020104940.tif 000008
【図７】
2020104940.tif 000009
【図８】
2020104940.tif 000010
【図９】
2020104940.tif 000011
【図１０】
2020104940.tif 000012
【図１１】
2020104940.tif 000013
【図１２】
2020104940.tif 000014
【図１３】
2020104940.tif 000015
【図１４】
2020104940.tif 000016
【図１５】
2020104940.tif 000017
【図１６】
2020104940.tif 000018